(57)【特許請求の範囲】
【請求項１】
扉開閉式浴槽と、該扉開閉式浴槽に配管系を介して接続されて扉開閉式浴槽へ供給する湯を蓄えるタンクと、該タンク内の湯の循環及び濾過をおこなう循環装置と、これら扉開閉式浴槽、タンク、配管系、循環装置および／またはこれらの中の湯の消毒をおこなうための薬剤を供給可能な薬剤供給装置と、湯供給源に接続されて該湯供給源より供給される湯を前記扉開閉式浴槽または前記タンクへ供給する給湯回路と、を備えた扉開閉式入浴装置であって、
前記循環装置は、前記タンク内の湯を循環させる循環配管回路内に設けられて該循環配管回路内に前記タンク内の湯を送出する水ポンプと、該水ポンプの後段に設けられて前記水ポンプから送られる前記タンク内の湯を濾過するフィルタと、該フィルタの後段に設けられてタンク底部付近に接続された給排湯配管と、を備えており、
前記循環配管回路の前記フィルタの前段に前記薬剤を供給可能な薬剤供給位置が設定され、該薬剤供給位置に前記薬剤供給装置が接続され、
前記循環配管回路には、前記フィルタの前段に、前記フィルタに濾過時とは逆向きに湯を流通して前記フィルタの洗浄をおこなう逆洗時に洗浄水の排出が可能な逆洗用の排出バルブが介装され、
前記給排湯配管には、逆洗時に前記給湯回路から給水給湯可能とする逆洗用の給水給湯バルブが設けられていることを特徴とする扉開閉式入浴装置。
【請求項２】
前記扉開閉式浴槽内に気泡を噴出可能とする気泡噴出装置が設けられ、該気泡噴出装置は、前記扉開閉式浴槽底部付近に設けられた噴出部と、該噴出部に対して気体を送出するバブラーと、これら噴出部とバブラーとを連結する配管回路とを具備するものとされ、
前記配管回路に前記薬剤を供給可能とする薬剤供給位置が、気泡を噴出していないときに前記浴槽中の湯が流通可能な位置に設定され、該薬剤供給位置において前記配管回路に前記薬剤供給装置が接続されてなることを特徴とする請求項１記載の扉開閉式入浴装置。
【請求項３】
請求項１または２のいずれか記載の扉開閉式入浴装置を消毒する消毒システムであって、
前記気泡噴出装置または前記循環装置、および、前記薬剤供給装置を制御可能な制御装置が、
前記扉開閉式浴槽、前記タンク、前記配管系または前記循環装置中の湯の消毒をおこなう湯消毒機能と、
前記扉開閉式浴槽内部、前記タンク内部、前記配管系、前記気泡噴出装置または前記循環装置を消毒するための浴槽消毒機能と、を有し、
前記湯消毒機能における前記薬剤供給量に比べて、前記浴槽消毒機能における前記薬剤供給量が多く設定されてなることを特徴とする消毒システム。
【請求項４】
前記制御装置が、前記湯消毒機能を入浴時間の直前におこなうよう設定可能とされてなることを特徴とする請求項３記載の消毒システム。
【請求項５】
前記制御装置が、前記浴槽消毒機能を入浴時間の後におこなうよう設定可能とされてなることを特徴とする請求項３記載の消毒システム。
【発明の詳細な説明】
【０００１】
【発明の属する技術分野】
本発明は、気泡噴出装置、および／または、タンク内の湯を清浄化するための循環装置を備える扉開閉式入浴装置に関し、また、これらを消毒殺菌する消毒システムに用いて好適な技術に関する。
【０００２】
【従来の技術】
通常の浴槽は上方が開放された箱形状とされており、入浴者は側壁をまたいで浴槽内に入ならければならず、身体障害者や老人にとって入浴は困難である。そこで、身体障害者等にとって容易に入浴できる浴槽として、扉開閉式入浴装置が開発されている。扉開閉式入浴装置は、扉開閉式浴槽として浴槽の側壁に開口部を設け、この開口部を例えばヒンジ結合された扉で開閉する構成のものである。また、この扉開閉式入浴装置には、通常、扉開閉式浴槽内の湯が一時的に移し替えられて貯溜されるタンクが付設される。
【０００３】
前記扉開閉式浴槽装置を用いて、例えば身体障害者を入浴させる場合には、まず浴槽内に蓄えられている湯をその近傍に配置したタンクに移し替え、それが完了した時点で扉を開き、側壁の開口部を利用して身体障害者を入浴用椅子ごと移動させて浴槽内に配置する。そして、扉を締めて開口部を液密に閉塞し、前記移し替えた湯をタンクから再び浴槽内に戻す。以上の動作によって、身体障害者を入浴させることができる。なお、出浴させる場合には、前記とは逆に、浴槽内の湯を一旦タンク内に移し、扉を開いた後、開口部を利用して身体障害者を椅子ごと浴槽の外側へ移動させる。
【０００４】
このような扉開閉式入浴装置としては、浴槽内の湯を清潔に保つため、扉開閉式浴槽またはタンクに、湯の循環及び濾過を行う循環装置を備えたものが知られている。循環装置は、扉開閉式浴槽内またはタンク内の湯を循環させる循環配管回路内に介装されて循環配管回路内に湯を送出する水ポンプと、水ポンプの後段に設けられて水ポンプから送られる湯を濾過するフィルタとを備えるものが知られている。
また、扉開閉式浴槽内に、気泡を発生されるための気泡噴出装置を備えるものも知られている。
このような構造の例としては、浴槽底部付近の噴出部に配管を介して空気を供給するバブラーが接続されているものがある。ここで、バブラーと噴出部との間の配管としては、噴出部付近に接続される配管が扉開閉式浴槽底部よりも下側に位置する構造となっている。
【０００５】
【発明が解決しようとする課題】
従来の扉開閉式入浴装置において、扉開閉式浴槽内の湯を全て排出した場合でも、扉開閉式浴槽またはタンク内の湯を濾過するフィルタ部分、あるいは、扉開閉式浴槽よりも下側に位置する気泡発生装置の配管部分等においては、湯が残留してしまうことが多く、完全に排出することは難しい。このため、このような部分において、雑菌が増殖しやすくなる可能性があり、この部分における消毒を充分おこないたいという要求があった。
【０００６】
また、扉開閉式入浴装置としての扉開閉式浴槽、配管系等の消毒とともに、入浴用に使用する湯そのものの消毒をおこなうことが必要である。このため、塩素殺菌による消毒がおこなわれているが、ここで、湯そのものの消毒においては、適性な塩素濃度を保つことが求められている。なぜならば、塩素濃度が高すぎると、塩素臭がして入浴時の快適性が低減してしまうとともに、また、入浴者の過敏な皮膚反応等がおきる可能性があり、好ましくなく、また、塩素濃度が低すぎると充分な消毒がおこなえないため好ましくないからである。
さらに、これら、入浴装置の消毒と湯の消毒とにおいては必要な塩素濃度が異なるが、これらを同一の装置でおこないたいという要求が存在している。
【０００７】
さらに、湯中の塩素濃度を維持するためにも、消毒を所定の時間間隔でおこなうことが求められている。
ここで、介護を必要とする入浴者を入浴させる際には、朝食後の入浴時間および昼食後の入浴時間等を避けて湯の消毒あるいは浴槽等の消毒をおこなうことが必要であるとともに、介護者の負担を低減するために、この消毒を自動でおこないたいという要求があった。また、昼間の要介護者の入浴時間に対して、夕食後の入浴時間にはこの浴槽を健常者が使用する等の一日のスケジュールが決められていた場合、このスケジュールに合わせて、かつ、入浴時間の合間をぬった時間に消毒をおこないたいという要求があった。
【０００８】
本発明は上記の事情に鑑みてなされたもので、扉開閉式入浴装置における湯が残留しやすい部分の配管等における雑菌の増殖を防止し、消毒をおこなう薬剤濃度を適切に設定可能であり、この消毒を入浴スケジュール等にあわせて事前に設定するとともにこれを自動的におこない、かつ、湯の消毒と浴槽（装置）の消毒とを同一の装置でおこなうことのできる扉開閉式入浴装置および消毒システムを提供することを目的とする。
【０００９】
【課題を解決するための手段】
本発明の扉開閉式入浴装置は、扉開閉式浴槽と、該扉開閉式浴槽に配管系を介して接続されて扉開閉式浴槽へ供給する湯を蓄えるタンクと、該タンク内の湯の循環及び濾過をおこなう循環装置と、これら扉開閉式浴槽、タンク、配管系、循環装置および／またはこれらの中の湯の消毒をおこなうための薬剤を供給可能な薬剤供給装置と、湯供給源に接続されて該湯供給源より供給される湯を前記扉開閉式浴槽または前記タンクへ供給する給湯回路と、を備えた扉開閉式入浴装置であって、前記循環装置は、前記タンク内の湯を循環させる循環配管回路内に設けられて該循環配管回路内に前記タンク内の湯を送出する水ポンプと、該水ポンプの後段に設けられて前記水ポンプから送られる前記タンク内の湯を濾過するフィルタと、該フィルタの後段に設けられてタンク底部付近に接続された給排湯配管と、を備えており、前記循環配管回路の前記フィルタの前段に前記薬剤を供給可能な薬剤供給位置が設定され、該薬剤供給位置に前記薬剤供給装置が接続され、前記循環配管回路には、前記フィルタの前段に、前記フィルタに濾過時とは逆向きに湯を流通して前記フィルタの洗浄をおこなう逆洗時に洗浄水の排出が可能な逆洗用の排出バルブが介装され、前記給排湯配管には、逆洗時に前記給湯回路から給水給湯可能とする逆洗用の給水給湯バルブが設けられていることにより上記課題を解決した。
本発明は、前記扉開閉式浴槽内に気泡を噴出可能とする気泡噴出装置が設けられ、該気泡噴出装置は、前記扉開閉式浴槽底部付近に設けられた噴出部と、該噴出部に対して気体を送出するバブラーと、これら噴出部とバブラーとを連結する配管回路とを具備するものとされ、前記配管回路に前記薬剤を供給可能とする薬剤供給位置が、気泡を噴出していないときに前記浴槽中の湯が流通可能な位置に設定され、該薬剤供給位置において前記配管回路に前記薬剤供給装置が接続されてなる手段を採用することもできる。
本発明の消毒システムにおいては、上記の扉開閉式入浴装置を消毒する消毒システムであって、前記気泡噴出装置または前記循環装置、および、前記薬剤供給装置を制御可能な制御装置が、前記扉開閉式浴槽、前記タンク、前記配管系または前記循環装置中の湯の消毒をおこなう湯消毒機能と、前記扉開閉式浴槽内部、前記タンク内部、前記配管系、前記気泡噴出装置または前記循環装置を消毒するための浴槽消毒機能と、を有し、前記湯消毒機能における前記薬剤供給量に比べて、前記浴槽消毒機能における前記薬剤供給量が多く設定されてなることにより上記課題を解決した。
また、本発明の前記制御装置が、前記湯消毒機能を入浴時間の直前におこなうよう設定可能とされてなる手段や、前記浴槽消毒機能を入浴時間の後におこなうよう設定可能とされてなる手段を採用することもできる。
【００１０】
本発明の扉開閉式入浴装置は、前記循環装置の前記フィルタの前段に前記薬剤を供給可能な薬剤供給位置が設定され、該薬剤供給位置に前記薬剤供給装置が接続されてなることで、循環装置に薬剤を供給してタンク内の湯を循環させることにより、循環装置内の湯とともに薬剤をタンク内に供給して、タンク内の湯を消毒するための湯消毒工程をおこなうことができる。同時に、タンク内の湯を扉開閉式浴槽（浴槽）へ供給することで扉開閉式浴槽内部および／または前記配管系内の湯を消毒するための湯消毒工程をおこなうことができる。
また、同様に湯消毒工程よりも高濃度となるように薬剤をタンク内に供給することにより、タンク内部および／または前記循環装置を消毒するための浴槽（装置）消毒工程をおこなうことができる。同時に、湯消毒工程よりも高濃度となるタンク内の湯を扉開閉式浴槽へ供給することで扉開閉式浴槽内部および／または前記配管系を消毒するための浴槽消毒工程をおこなうことができる。ここで消毒殺菌用の薬剤としては、塩素系の消毒液等が適応される。
【００１１】
この状態では、扉開閉式浴槽には薬液の供給された湯を送出せず、タンク内と循環配管回路系との間で湯を循環させることができるため、タンク内の湯の薬液濃度は均一となるとともに、湯消毒工程に最適な所定の濃度に設定することができる。このため、湯消毒工程において、タンク側から扉開閉式浴槽に供給された湯の薬液濃度は、均一にかつ所定の濃度に設定されており、また、入浴時に適切な薬剤濃度とすることができ、入浴者が不愉快に感じることがない。
【００１２】
また、薬剤供給装置から循環装置内に薬剤を供給し、この状態で湯を循環させることにより、循環装置内を薬剤濃度の高い湯が循環するため、循環装置内の消毒殺菌を充分するための浴槽（装置）消毒工程をおこなうことが可能となる。特に、フィルタ前段に薬剤供給位置が設定されていることにより、最も薬剤濃度の高い状態でフィルタを消毒殺菌することができ、重点的にフィルタの消毒をおこなうことが可能となる。
【００１３】
また、循環装置内に薬剤を供給する状態を所定時間維持することにより、循環装置内を薬剤濃度の高い状態として維持することができ、循環装置内の消毒殺菌をするための浴槽（装置）消毒工程をおこなうことが可能となり、特に、循環装置において排水が完全におこなわれない可能性のあるフィルタ等の部分を重点的に消毒することが可能となる。
この状態では、扉開閉式浴槽には薬液濃度の高い湯を送出せず、タンク内と循環配管回路系との間で湯を循環させることができるため、タンク内の湯の薬液濃度は均一となるとともに、浴槽（装置）消毒工程に最適な所定の濃度に設定することができる。
【００１４】
また、循環装置には、前記フィルタ前段に、前記フィルタに濾過時とは逆向きに湯を流通して前記フィルタの洗浄をおこなう逆洗時に洗浄水の排出が可能な排出バルブが介装されてなることで、任意の時点で湯循環時とは逆方向に湯をフィルタに流通する逆洗をおこなうことによってフィルタに詰まった汚れを排出することができるとともに、さらにフィルタでの菌の増殖抑制を図ることが可能となる。従って、循環装置内において汚水が必要以上に拡がることがないため、循環装置内における清浄度を維持することができる。
【００１５】
本発明の扉開閉式入浴装置は、気泡噴出装置における扉開閉式浴槽底部付近に設けられた噴出部と該噴出部に対して気体を送出するバブラーとを連結する配管回路において、気泡を噴出していないときに前記扉開閉式浴槽中の湯が流通可能な位置に前記薬剤を供給可能として、前記薬剤供給装置が接続されてなることにより、気泡を噴出していない配管回路の薬剤供給位置に薬剤を供給して、その後バブラーによって気泡を噴出することで、配管回路内の湯とともに薬剤を扉開閉式浴槽内に供給して扉開閉式浴槽内の湯を消毒するための湯消毒工程をおこなうことができる。また、同様に湯消毒工程における扉開閉式浴槽内よりも高濃度となるように薬剤を扉開閉式浴槽内に供給することにより、扉開閉式浴槽内部および／または配管系を消毒するための浴槽消毒工程をおこなうことができる。
このとき、扉開閉式浴槽内に気泡を噴出することによって、同時に、薬剤の供給された扉開閉式浴槽内の湯を攪拌して、扉開閉式浴槽内における濃度勾配を効率よく速やかに解消することができる。
【００１６】
本発明の消毒システムにおいては、上記の入浴装置を消毒する消毒システムであって、前記気泡噴出装置または前記循環装置、および、前記薬剤供給装置を制御可能な制御装置が、すくなくとも前記扉開閉式浴槽中および／または前記タンク中の湯の消毒をおこなう湯消毒機能と、前記扉開閉式浴槽内部，前記タンク内部，前記配管系，前記気泡噴出装置または前記循環装置を消毒するための浴槽消毒機能と、を有し、前記湯消毒機能における前記薬剤供給量に比べて、前記浴槽消毒機能における前記薬剤供給量が多く設定されてなることにより、同一の薬剤供給装置において供給する薬剤量を設定するだけで、湯消毒機能と浴槽消毒機能とを切り替えておこなうことができる。
【００１７】
また、本発明の前記制御装置が、前記湯消毒機能を入浴時間の直前におこなうよう設定可能とされてなる手段や、前記浴槽消毒機能を入浴時間の後におこなうよう設定可能とされてなる手段を採用することにより、入浴装置を使用している入浴時間を避けて、所定の消毒をおこなうことが可能となる。例えば、午前中と午後とに設定されている入浴時間に対して、それらの入浴時間の間である昼食時間に対応して湯消毒をおこなうことが可能である。しかも、これらを制御装置によりタイマーセットすることにより、入浴スケジュールに会わせて、所定の時間に所定の消毒をおこなうように、自動設定とすることが可能である。
【００１８】
【発明の実施の形態】
以下、本発明の実施形態を図面に基づいて説明する。
図１は本実施形態に係る扉開閉式入浴装置の配管を示す模式図、図２，図３は本実施形態における消毒システムの動作状態を示すタイムチャートである。
図において符号１は扉開閉式入浴装置である。
【００１９】
本実施形態の扉開閉式入浴装置１は、図１に示すように、入浴者を載せる車椅子Ｃｂと、入浴者を載せた状態の車椅子Ｃｂを所定位置に位置させて、内部に湯を満たすことによって、入浴者を入浴状態にさせる扉開閉式浴槽３０と、該扉開閉式浴槽３０に供給する湯を蓄えるタンク６０と、扉開閉式浴槽３０とタンク６０との間の湯の出し入れをする配管系と、扉開閉式浴槽３０の底部付近から扉開閉式浴槽３０内に、気泡を発生されるための気泡噴出装置と、扉開閉式入浴装置１内の湯または扉開閉式入浴装置１を消毒する薬剤を供給する薬剤供給装置と、これらの動作を制御するとともに消毒システムとしての制御をおこなう制御装置７０と、を具備するものとされている。
【００２０】
扉開閉式浴槽３０は、前面（以下、図１において左側を前面とする）とされる開口部３０ａを開閉する扉３１を有し、その底部に排水口２が設けられる。扉３１は扉開閉式浴槽３０にヒンジ結合されるもので、この扉３１には、扉開閉式浴槽３０の開口部３０ａとの縁部に強く当接されて同当接部分をシールするシール部が設けられている。扉開閉式浴槽３０と扉３１との間には、扉３１を閉塞状態に保持する係止手段が設けられている。この係止手段により扉３１が係止されて扉３１のシールがされたことを感知して制御装置７０に信号を出力するシール検出部３２が設けられる。
扉開閉式浴槽３０内部には車椅子Ｃｂが扉開閉式浴槽３０の内部に向けて押し込まれるときに、車椅子Ｃｂを扉開閉式浴槽３０の内方所定位置に配置するよう案内するための案内部材が設けられる。
【００２１】
気泡噴出装置は、扉開閉式浴槽３０底部付近に配置されて気泡を噴出する細孔を有する噴出部Ｂｐと、この噴出部Ｂｐに空気等の気体を供給するバブラーＢと、これらバブラーＢと噴出部Ｂｐとを接続する配管（配管回路）とを有するものとされている。
【００２２】
気泡噴出装置の配管としては、図１に示すように、噴出部Ｂｐ付近に接続される配管Ｐｂ１が扉開閉式浴槽３０底部よりも下側に位置されている。この配管Ｐｂ１には、扉開閉式浴槽３０からバブラーＢ側へ湯の逆流防止部分として扉開閉式浴槽３０中の湯面よりも高い位置になる配管Ｐｔ１が接続されている。さらに、この配管Ｐｔ１のバブラーＢ側に配管Ｐｂ１と同程度の高さに配置される配管Ｐｂ２が接続され、この配管Ｐｂ２にはバブラーＢが接続されている。
【００２３】
薬剤供給装置は、図１に示すように、噴出部Ｂｐ付近の配管Ｐｂ１に薬剤を供給するためにこの配管Ｐｂ１から分岐する薬剤注入部Ｃ１と、この薬剤注入部Ｃ１に接続される薬剤ポンプＰｃと、薬剤ポンプＰｃにより送出される薬液を供給するために例えば塩素水とされる薬剤を貯溜する薬剤タンクＣｌとを有するものとされている。また、薬剤ポンプＰｃには、薬剤供給切替バルブＶｃが接続され、こｎバルブＶｃには、後述する濾過配管１４から分岐する薬剤注入部Ｃ２が接続されている。
薬剤タンクＣｌには、貯留されている薬剤の量が一定量以下になった場合に、制御装置７０に信号を出力する薬剤レベルセンサが設けられている。
【００２４】
配管系としては、図１に示すように、扉開閉式浴槽３０またはタンク６０に給湯する給湯回路４０と、扉開閉式浴槽３０とタンク６０との間で湯を移送するための浴槽給排湯装置５０と、タンク６０内の湯の循環及び濾過をおこなう循環装置１０とを有するものとされている。
【００２５】
給湯回路４０は、一端を水と湯とを混合可能として供給するミキシングとしての湯供給源Ｈに接続される給湯配管（配管）４１と、他端が扉開閉式浴槽３０の上方に配される給湯配管（配管）４２と、配管４１および浴槽給排湯装置５０に接続されて制御装置７０によって開閉を制御されるバルブＶｍと、このバルブＶｍおよび配管４２に接続されて制御装置７０によって開閉を制御されるバルブＶｎと、このバルブＶｎおよび扉開閉式浴槽３０底部付近の給湯孔に接続される配管４３と、によって構成されている。
【００２６】
浴槽給排湯装置５０は、バルブＶｎ，Ｖｍを介して扉開閉式浴槽３０底部付近に接続される給排湯配管（配管）５１と、タンク６０の底部付近に接続される給排湯配管（配管）５２と、この給排湯配管５２にバルブＶｆ、配管５３、バルブＶａを介して接続される給排湯配管５４と、これら給排湯配管５１，５４に接続された三方弁とされる移送バルブ（バルブ）Ｖｔと、これら給排湯配管５１，５４からそれぞれ分岐して移送バルブ（バルブ）Ｖｈにそれぞれ接続される中間配管（配管）５５，５６とを備える。
これらの移送バルブＶｈ，Ｖｔの間には、それぞれに配管５７が接続され、この配管５７には、扉開閉式浴槽３０からタンク６０へあるいは逆にタンク６０から扉開閉式浴槽３０へ湯を行き来させる給排湯ポンプ（ポンプ）Ｐｔが介装されて設けられている。
バルブＶａには、一端がタンク６０に接続される給排湯配管（配管）５８が配され、この配管５８は、バルブＶｍ，給排湯配管５１，移送バルブＶｔまたは移送バルブＶｈ，配管５４を経由することで湯供給源Ｈに接続される給湯回路の一部を構成するものとされる。
【００２７】
循環装置１０は、タンク６０内底部付近に接続される循環配管回路（循環配管）１１と、循環配管１１に設けられて循環配管１１内にタンク６０内の湯を送出する水ポンプ（循環ポンプ）１２を備えている。循環配管１１は、一端がタンク６０の側壁の下方に接続されて湯取入口を形成し、他端側が水ポンプ（ポンプ）１２に接続される。ポンプ１２には濾過配管１４が接続され、この濾過配管１４にはフィルタ１３が介装される。
濾過配管１４は、フィルタ１３の前段に、制御装置７０によって開閉を操作され外部に排水可能な排水バルブ（逆洗用の排出バルブ）Ｖｄと、薬剤注入部Ｃ２と、が設けられるものであって、フィルタ１３の後段は、タンク６０底部付近に接続される給排湯配管５２に介装されたバルブ（逆洗用の給水給湯バルブ）Ｖｆに接続されている。
これら循環配管１１、水ポンプ１２、排水バルブＶｄ、濾過配管１４，フィルタ１３、バルブＶｆ、給排湯配管５２は、フィルタ１３によって濾過された湯を再びタンク６０内に戻す濾過配管回路を形成している。また、タンク６０には排水口６２が設けられる。
【００２８】
扉開閉式浴槽３０とタンク６０とには、それぞれ浴槽３０内の水位を測定する水位センサ３６ａ、３６ｂと、タンク６０内の水位を測定する水位センサ６６ａ、６６ｂと、が設けられ、これら水位センサ（検出器）３６ａ，３６ｂ，６６ａ，６６ｂは、センサ配管に分岐接続されて浴槽３０またはタンク６０内の水位を測定するフロート式のセンサであり、水位センサ３６ｂ、６６ｂは浴槽３０またはタンク６０内の水位が所定の上限位置以上になった時点で、また、水位センサ３６ａ、６６ａは浴槽３０またはタンク６０内の水位が所定の下限位置以上または以下になった時点でそれを検知して制御装置７０に信号を送るものである。
【００２９】
制御装置７０は、扉開閉式浴槽３０のシール検出部３２、水位センサ３６ａ，３６ｂ，６６ａ，６６ｂの出力に基づいて、給湯回路４０、浴槽給排湯装置５０、循環装置１０、薬剤供給装置の薬剤ポンプＰｃ、および、気泡噴出装置のバブラーＢ、に接続されてこれらの動作を制御するものとされている。また、制御装置７０は、薬剤タンクＣｌに接続され、薬剤レベルセンサからの信号で貯留されている薬剤の量が一定量以下になったことを表示する薬剤レベルランプ等の表示手段が設けられている。
【００３０】
次に、上記のように構成される扉開閉式入浴装置１における入浴時間の動作について説明する。
この扉開閉式浴槽１を用いて例えば身体障害者を入浴させる場合には、以下に説明する動作１）〜７）をおこなう。このとき、タンク６０及び扉開閉式浴槽３０には湯が入っておらず、また扉開閉式浴槽３０内には車椅子Ｃｂは移動しておらず、さらに扉３１は開状態であるとする。
【００３１】
１）まず、図示しない入浴（貯湯）スイッチをオンにする。すると、バルブＶｍ，Ｖｔ，Ｖａが、それぞれ配管４１，配管５１，配管５４，配管５８を連通させる状態になり、湯供給源Ｈからタンク６０へ自動的に給湯される。タンク６０内の液面が所定高さまで上昇すると、その旨を水位センサ６６ａにより検出されて給湯は自動的に停止される。
２）入浴者を車椅子Ｃｂ上に載せ、この状態であらかじめ扉３１が開かれた浴槽３０の内部へ入浴者を車椅子ごと搬入する。このとき、車椅子Ｃｂを浴槽３０の所定位置まで押し込むと、図示しないロック機構が作用し、車椅子Ｃｂをその位置にロックする。
３）次いで、扉３１を閉じ、係止手段を作動させて扉３１を閉状態にロックする。浴槽３０の開口部３０ａが扉３１によってシールされた状態になると、シール検出部３２が作動し、続いて制御蔵置７０に扉シール信号を出力する。
【００３２】
４）次いで、図示しない入浴スイッチをオンにすると、制御装置７０から発せられる信号に基づき、移送バルブＶｔ，Ｖｈが開閉制御されると同時にポンプＰｔが始動し、タンク６０から扉開閉式浴槽３０へ湯を供給する。湯の供給は、扉開閉式浴槽３０内の液面が所定高さに至るまで続けられ、上記所定高さに至ると水位センサ３６ａから信号が発せられ、ポンプＰｔがオフになって湯供給が停止される。以上のようにして入浴者を入浴状態にする。
【００３３】
５）次いで、出浴する場合には、出浴スイッチをオンにすると、前記移送バルブＶｔ，Ｖｈが開閉制御されると同時にポンプＰｔが再び始動し、浴槽３０内の湯をタンク６０へ移し替える。このとき、入浴中において、汚れた湯を扉開閉式浴槽３０の排水口２から多量に捨てた場合など、浴槽３０内の湯を全てタンク６０に戻してもタンク６０の水位が上限位置に至らなかった場合には、バルブＶｍ，Ｖｔ，Ｖａが自動的に開閉動作し、湯供給源Ｈからタンク６０へ自動的に給湯がおこなわれる。ここで、タンク６０内に上限位置まで湯を満たすのは、その後、タンク６０内の湯を浴槽３０へ再供給するときに、湯が足りなくなるのを避けるためである。また、あらかじめ、タンク６０の容量を浴槽３０の容量よりも大きく設定している。
【００３４】
６）上記扉開閉式浴槽３０内の排水が完了した時点で、扉開スイッチをオンにすると、制御装置７０から信号が発せられ、浴槽３０と扉３１とのシールが解かれる。すなわち、扉３１内に組み込まれているシール部が扉開閉式浴槽３０の開口部３０ａから離間する方向へ移動されて、浴槽３０の開口部３０ａにおけるシールを解く。次いで係止手段による扉閉ロックが解除されて扉３１が開かれる。
７）車椅子Ｃｂを扉開閉式浴槽３０内の所定位置に位置決めするロックを解除し、入浴者を載せたまま車椅子Ｃｂを浴槽３０から引き出す。
以上が入浴の１サイクルであり、続いて次の入浴者を入浴させる場合には、上述の２）〜７）の動作を繰り返すことになる。
【００３５】
以下、本実施形態の扉開閉式入浴装置１における制御装置の制御を図２に示すタイムチャートに基づいて説明する。
ここでは、入浴時間の前後で、湯消毒工程とタンク等を消毒する浴槽消毒工程とをおこなう。
【００３６】
初期状態では、浴槽（扉開閉式浴槽）３０内には湯が貯められておらず、またタンク６０内には湯が供給され終わって貯留されており、浴槽３０内には車椅子Ｃｂが搬入されておらず、扉シールがされておらず、排水口２および排水口６２は閉、バルブＶｍはバルブＶｎから配管５１側、バルブＶｎは配管４３からバルブＶｍ側、バルブＶａは配管５４から配管５８側、バルブＶｆはフィルタ１３から配管５２側、バルブＶｄはポンプ１２から配管１４側、バルブＶｃはポンプＰｃから薬剤注入部Ｃ２側、ポンプ１２は停止状態にあるものとする。
【００３７】
本実施形態の入浴装置１においては、あらかじめ制御装置７０にタイマー設定をおこなうことにより、図２に示すように、時刻ｔ0 から消毒タイマーが作動する。このとき、湯循環用の水ポンプ１２は作動状態となり、タンク内の湯が循環し、フィルタ１３によるタンク６０内の湯の濾過およびタンク６０内の湯の攪拌がおこなわれる。
【００３８】
次に、時刻ｔ1 に、制御装置７０のタイマーにより湯消毒工程が開始され、その制御により薬剤供給装置の薬剤ポンプＰｃが作動して、薬剤タンクＣｌから薬剤注入部Ｃ２に薬剤の供給が開始される。すると、注入された薬剤は、濾過配管１４、フィルタ１３、逆洗バルブＶｆ、配管５２を流通し、タンク６０に循環供給される。ポンプＰｃを作動している間、つまり、薬剤を供給している間は濾過配管１４、フィルタ１３、逆洗バルブＶｆ、配管５２には常に薬剤濃度の濃い湯が流通している状態となる。
【００３９】
時刻ｔ2 には、制御装置７０が薬剤ポンプＰｃを停止して薬剤注入を終了する。ここで、水ポンプ１２は作動状態を維持されるため、タンク内の湯の循環は連続し、フィルタ１３によるタンク６０内の湯の濾過およびタンク６０内の湯の攪拌は引き続きおこなわれ、タンク６０中に供給された薬剤は攪拌され、タンク６０における薬剤濃度勾配が低減され、薬剤濃度が均一化されてタンク６０中における湯の消毒をおこなうことになる。
【００４０】
時刻ｔ2 から所定の時間後である時刻ｔ3 に、制御装置７０の制御により再び薬剤供給装置の薬剤ポンプＰｃを作動させて、薬剤タンクＣｌから薬剤注入部Ｃ２に薬剤の供給を開始し、時刻ｔ4 に、ポンプＰｃを停止して薬剤注入を終了する。このとき時刻ｔ1 から時刻ｔ2 までおよび時刻ｔ3 から時刻ｔ4 までの長さにより、湯消毒工程における注入薬剤の量が設定される。
また、時刻ｔ3 から時刻ｔ4 まで、および時刻ｔ4 後も、水ポンプ１２は作動状態を維持されるため、タンク内の湯の循環は連続し、フィルタ１３によるタンク６０内の湯の濾過およびタンク６０内の湯の攪拌は引き続きおこなわれる。薬剤が所定の濃度となり均一化された時点で、湯消毒工程が終了する。
【００４１】
この薬剤ポンプＰｃの動作中時刻ｔ4 に、薬剤タンクＣｌ内の貯溜量が所定の値以下になった場合には、薬剤タンクＣｌの薬剤レベルセンサが制御装置７０に信号を出力し、この薬剤レベルセンサからの信号で制御装置７０は、時刻ｔ4 に、貯留されている薬剤の量が一定量以下になったことを表示するために薬剤レベルランプを点灯させる。
【００４２】
湯消毒工程の後には、前述したように入浴時間が設定される。
【００４３】
時刻ｔ6 に、入浴時間が開始され、車椅子Ｃｂが搬入されて扉３１が閉められると、シール検出部３２が扉シール信号を制御部に出力し、この信号および入浴スイッチの信号により、移送バルブＶｔ，Ｖｈが浴槽側、すなわち、移送バルブＶｔが配管５４からポンプＰｔ側、移送バルブＶｈがポンプＰｔから配管５５側に設定されるとともに、移送ポンプ（ポンプ）Ｐｔが始動し、タンク６０から浴槽３０へ湯を移送供給する。
【００４４】
時刻ｔ7 に、浴槽３０内の液面が所定高さに至ると水位センサ３６ａからの信号により移送ポンプＰｔがオフになって湯の供給が停止されるとともに、気泡噴出装置のバブラーＢを作動させて気体を供給する。この気体は、配管Ｐｂ２，Ｐｔ１，Ｐｂ１を流通して、気体は気泡となって噴出部Ｂｐから噴出される。
時刻ｔ8 に、バブラーＢを停止するとともに、さらに時間をあけてもう一度バブラーＢを作動させ、時刻ｔ9 にはバブラーＢの動作が再度停止される。
【００４５】
この時刻ｔ9 に、出浴スイッチをオンにする。するとこの信号により、前記移送バルブＶｔ，Ｖｈがタンク側、すなわち、移送バルブＶｔが配管５１からポンプＰｔ側、移送バルブＶｈがポンプＰｔから配管５６側に設定されるとともに、ポンプＰｔが始動し、浴槽３０内の湯をタンク６０へ移し替える。
時刻ｔ10に、浴槽３０内の液面が所定高さに至り排水が完了すると、水位センサ３６ｂからの信号により移送ポンプＰｔがオフになって湯供給が停止され、扉３１が開けられてシール検出部３２からの扉シール信号がオフになる。
そして、車椅子Ｃｂごと入浴者が搬出されて、入浴時間が終了する。
【００４６】
例えば、時刻ｔ11に、薬剤タンクＣｌに薬剤を補充することで、薬剤タンクＣｌ内の薬剤量が所定の値以上になった場合には、薬剤タンクＣｌの薬剤レベルセンサが制御装置７０に信号を出力し、この薬剤レベルセンサからの信号で制御装置７は、時刻ｔ11に、貯留されている薬剤の量が一定量以上になったことを表示するために薬剤レベルランプを消灯させる。
【００４７】
時刻ｔ10に入浴時間が終了した後、所定の時間が経過した時刻ｔ12に、制御装置７０では浴槽消毒の工程としてのフィルタ洗浄工程を開始する。
すると、この時刻ｔ12に、循環ポンプである水ポンプ１２を停止するとともに、排水バルブＶｄはＯＮである配管１４から外部排水側、逆洗バルブＶｆはＯＮである配管５３からフィルタ１３側、バルブＶａはＯＮである配管５４から配管５３側、バルブＶｔが配管５４から配管５１側、および／または、バルブＶｈが配管５６から配管５５側、バルブＶｍは湯供給源Ｈから配管５１側、に切り替えられる。同時に、制御装置７０により湯供給源Ｈから湯を供給する。これによって湯供給源Ｈから送出される湯をバルブＶａ、逆洗バルブＶｆを介して濾過配管１４内に送出し、フィルタ１３にたまった汚物を逆洗して、排水バルブＶｄから排出する。
同時に、タンク６０内部の湯を排水口６２を開の状態として排出し始める。
【００４８】
このとき、時刻ｔ12に、制御装置７０の制御により薬剤供給装置の薬剤ポンプＰｃが作動して、薬剤タンクＣｌから薬剤注入部Ｃ２に薬剤の供給を開始する。すると、薬剤を供給し続けることにより、濾過配管１４におけるフィルタ１３前段に薬剤濃度の高い湯が常流した状態となり、濾過配管１４におけるフィルタ１３前段の通常の濾過循環時には高濃度の薬剤が供給されない部分に高濃度の薬剤を停留して所定の時間放置した状態と同様の状態とすることができる。
【００４９】
次いで、時刻ｔ13に、薬剤ポンプＰｃを停止して薬剤注入を終了するとともに、湯供給源Ｈからの湯の供給を停止する。同時に、バルブＶａは配管５３から配管５８側に切り替えるとともに、逆洗バルブＶｆはフィルタ１３からタンク６０側、にしてタンク６０内の排水をおこなう。
最後に、時刻ｔ14には、タンク６０内の排水が完了するとともに、時刻ｔ15には、制御装置７０のタイマーが切になり、フィルタ洗浄工程が終了する。
【００５０】
以下、本実施形態の扉開閉式入浴装置１における制御装置の他の制御を図３に示すタイムチャートに基づいて説明する。
ここでは、例えば入浴時間の後とされ、浴槽消毒工程として浴槽および浴槽給排湯装置の洗浄をおこなう。
【００５１】
初期状態では、浴槽（扉開閉式浴槽）３０内には湯が貯められておらず、またタンク６０内には湯が貯留されており、浴槽３０内から車椅子Ｃｂが搬出されているが扉シールはなされており、排水口２および排水口６２は閉、バルブＶｍはバルブＶｎから配管５１側、バルブＶｎは配管４３からバルブＶｍ側、バルブＶａは配管５４から配管５８側、バルブＶｆはフィルタ１３から配管５２側、バルブＶｄは水ポンプ１２から配管１４側、バルブＶｃはポンプＰｃから薬剤注入部Ｃ２側、水ポンプ１２は停止状態にあるものとする。
【００５２】
本実施形態の入浴装置１においては、あらかじめ制御装置７０にタイマー設定をおこなうことにより、図３に示すように、時刻ｔ20から消毒タイマーが作動して浴槽（装置）消毒工程として、先ず循環装置・タンク消毒工程が開始される。このとき、湯循環用の水ポンプ１２が作動して、循環装置１０を湯が循環するとともに、薬剤供給装置の薬剤ポンプＰｃが作動して、薬剤タンクＣｌから薬剤注入部Ｃ２に薬剤が注入される。この薬剤は、濾過配管１４、フィルタ１３、逆洗バルブＶｆ、配管５２を流通し、タンク６０に循環供給され、薬剤を供給している間は濾過配管１４、フィルタ１３、逆洗バルブＶｆ、５２には常に薬剤濃度の濃い湯が流通している状態となる。
【００５３】
時刻ｔ22には、制御装置７０が薬剤ポンプＰｃを停止して薬剤注入を一時停止し、時間をあけて時刻ｔ23にから再び薬剤ポンプＰｃを作動させて、薬剤を薬剤注入部Ｃ２に供給する。その後、時刻ｔ25には薬剤ポンプＰｃを停止して薬剤注入を終了する。
このとき時刻ｔ21から時刻ｔ22までの長さおよび時刻ｔ23から時刻ｔ25までの長さにより、循環装置・タンク消毒工程における注入薬剤の量が設定される。この循環装置・タンク消毒工程における注入薬剤の量は、前述の湯消毒工程よりも多く設定されている。
この間、水ポンプ１２は作動状態を維持されるため、タンク６０内における高濃度の薬剤を含む湯の循環は連続し、フィルタ１３によるタンク６０内の湯の濾過およびタンク６０内の湯の攪拌が引き続いておこなわれ、タンク６０における薬剤濃度が湯消毒工程における薬剤濃度よりも高く設定されてタンク６０中および循環装置１０の消毒をおこなうことになる。
【００５４】
この薬剤ポンプＰｃの動作中、時刻ｔ24に、薬剤タンクＣｌ内の薬剤量が所定の値以下になった場合には、薬剤タンクＣｌの薬剤レベルセンサが制御装置７０に信号を出力して、薬剤レベルランプを点灯させる。
【００５５】
時刻ｔ26に、気泡噴出装置・浴槽消毒工程が開始され、移送バルブＶｔ，Ｖｈが浴槽側に設定されるとともに、移送ポンプＰｔが始動し、タンク６０から浴槽３０へ湯を移送する。このとき、タンク６０内にある湯消毒工程よりも高濃度の薬剤を含む湯によって、浴槽給排湯装置５０内部が消毒される。
時刻ｔ27に、浴槽３０内の液面が所定高さに至ると移送ポンプＰｔがオフになって湯移送が停止される。
この時刻ｔ27に、薬剤供給バルブＶｃがポンプＰｃから薬剤注入部Ｃ１側にされるとともに、薬剤供給装置の薬剤ポンプＰｃが作動して、薬剤タンクＣｌから薬剤注入部Ｃ１に薬剤の供給を開始する。すると、配管Ｐｂ１付近に薬剤濃度の濃い湯が停留した状態となり、さらに薬剤を供給することにより、噴出部Ｂｐおよび噴出部Ｂｐ付近の浴槽３０にまで薬剤濃度の高い湯が停留したような状態となる。
【００５６】
時刻ｔ28には、ポンプＰｃが停止されるとともに、気泡噴出装置のバブラーＢを始動して気体を供給する。すると、気体により押圧された配管Ｐｂ１に停留していた薬剤の混入した湯が噴出部Ｂｐから浴槽３０に噴出される。さらに、この気体は、配管Ｐｂ２，Ｐｔ１，Ｐｂ１を流通して、気泡となって噴出部Ｂｐから噴出する。この気泡により、浴槽３０中に供給された薬剤は攪拌され、浴槽３０における薬剤濃度勾配を低減して、薬剤濃度が均一化されることになる。
その後、バブラーＢの動作が停止される。さらに所定の時間この状態で放置した後、もう一度時刻ｔ29に薬剤ポンプＰｃが作動して、薬剤タンクＣｌから薬剤注入部Ｃ１に薬剤を供給し、その後、２度目のバブラーＢの動作が停止されて、所定の時間放置する。すると、配管Ｐｂ１付近に薬剤濃度の濃い湯が停留した状態となり、気泡噴出装置の消毒がおこなわれる。その後、再度バブラーＢが作動されてさらなる薬剤の攪拌をおこなう。
時刻ｔ30には、２度目のポンプＰｃの動作が停止され、気泡噴出装置・浴槽消毒工程が終了する。
【００５７】
この時刻ｔ30に、浴槽給排湯装置・タンク消毒工程が開始され、移送バルブＶｔ，Ｖｈがタンク側に設定されるとともに、ポンプＰｔが再び始動し、浴槽３０内の湯をタンク６０へ移し替え、より高濃度の薬剤を含む湯により浴槽給排湯装置５０およびタンク６０を消毒する。
時刻ｔ31に、浴槽３０の排水が完了すると、移送ポンプＰｔが停止するが、この状態で放置することにより、高濃度の薬液が浴槽給排湯装置５０およびタンク６０内に停留しているため、浴槽給排湯装置５０およびタンク６０内の消毒がおこなわれることになる。
ここで、例えば、時刻ｔ32に、薬剤タンクＣｌに薬剤を補充することで、薬剤タンクＣｌ内の薬剤量が所定の値以上になった場合には、薬剤レベルランプを消灯させる。
【００５８】
時刻ｔ31から所定の時間が経過した時刻ｔ33に、制御装置７０では浴槽給排湯装置・タンク消毒工程を終了し、浴槽（装置）消毒工程としてのフィルタ洗浄工程が開始される。
この時刻ｔ33に、薬剤バルブＶｃがポンプＰｃから薬剤注入部Ｃ２側にされるとともに、薬剤供給装置の薬剤ポンプＰｃが作動して、薬剤タンクＣｌから薬剤注入部Ｃ２に薬剤の供給を開始する。
同時に、循環ポンプである水ポンプ１２を停止するとともに、排水バルブＶｄはＯＮである配管１４から外部排水側、逆洗バルブＶｆはＯＮである配管５３からフィルタ１３側、バルブＶａはＯＮである配管５４から配管５３側、バルブＶｔは配管５４から配管５１側、バルブＶｈは配管５６から配管５５側、バルブＶｍは湯供給源Ｈから配管５１側に切り替えられ、この状態で、湯供給源Ｈから湯を供給する。これによって湯供給源Ｈから送出される湯をバルブＶａ、逆洗バルブＶｆを介して濾過配管１４内に送出し、フィルタ１３にたまった汚物を逆洗して、排水バルブＶｄから排出する。
同時に、タンク６０内部の湯を排水口６２を開の状態として排出する。
【００５９】
このとき、時刻ｔ33に、制御装置７０の制御により薬剤供給装置の薬剤ポンプＰｃが作動して、薬剤タンクＣｌから薬剤注入部Ｃ２に薬剤の供給を開始し、配管１４におけるフィルタ１３前段が、薬剤濃度の高い状態となり、この部分の消毒がおこなわれる。
【００６０】
次いで、時刻ｔ34に、薬剤ポンプＰｃを停止して薬剤注入を終了するとともに、湯供給源Ｈからの湯の供給を停止する。同時に、逆洗バルブＶｆはフィルタ１３から配管５２側、バルブＶａは配管５８から配管５３側に切り替えるとともに、逆洗バルブＶｄはタンク６０から外部排水側、にしてタンク６０内の排水をおこなう。時刻ｔ35には、タンク６０内の排水が完了する。
最後に、時刻ｔ36には、制御装置７０のタイマーが切になり、扉３１のシールを解除して浴槽消毒工程におけるフィルタ洗浄工程が終了する。
【００６１】
本実施形態の扉開閉式入浴装置１は、前記循環装置１０における配管１４の前記フィルタ１３前段に、薬剤供給装置が接続されることで、前記薬剤を供給可能な薬剤供給位置が設定されてなることにより、濾過配管１４に薬剤を供給して、浴槽３０内の湯を循環させて、濾過配管１４内の湯とともに薬剤をタンク６０内に供給して、タンク６０内の湯を消毒するための湯消毒工程をおこなうことができる。また、同様に湯消毒工程よりも高濃度の薬剤を供給することにより、タンク６０内部および循環装置１０を消毒するための浴槽（装置）消毒工程をおこなうことができる。
【００６２】
特に、供給する薬剤の量を任意の量に設定することが可能なため、タンク６０内部あるいは浴槽３０中の薬剤濃度を所定の状態に維持することが可能である。これにより、湯消毒機能において、例えば、浴槽水の消毒に用いる塩素系薬剤の濃度は、遊離残留塩素濃度を１日に２時間以上０．２〜０．４ｍｇ／Ｌに保つという衛生管理基準や水質基準といった基準を容易に実現することができる。しかも、薬剤濃度をタンク６０内および浴槽３０内においてほぼ均一な状態としてこれらを実現することができるので、局所的に高濃度の部分ができて、入浴者に影響を与えたりすることが防止できる。
このとき、浴槽３０内に気泡を噴出することによって、同時に、薬剤の供給された浴槽３０内の湯を攪拌して、浴槽３内における薬剤濃度を速やかに均一にすることができる。
【００６３】
また、薬剤供給装置から濾過配管１４に薬剤を供給し、この状態で湯を循環させることにより、循環装置１０内に薬剤濃度の高い湯を循環させることができるため、循環装置１０の消毒殺菌を充分するための浴槽（装置）消毒工程をおこなうことが可能となる。特に、フィルタ１３前段に薬剤供給位置としての薬剤注入部Ｃ２が設定されていることにより、最も薬剤濃度の高い状態でフィルタ１３を消毒殺菌することができ、重点的に濾過配管１４、フィルタ１３、逆洗バルブＶｆ、配管５２の消毒をおこなうことが可能となる。
【００６４】
本実施形態の扉開閉式入浴装置１によれば、循環装置１０においてフィルタ１３と薬剤供給位置である薬剤注入部Ｃ２との間に、前記フィルタ１３に濾過時とは逆向きに湯を流通して前記フィルタ１３の洗浄をおこなう際に洗浄水の排出が可能な逆洗弁としての排出バルブＶｄが介装されてなり、同時に、フィルタ１３の後段に逆洗バルブＶｆ、バルブＶａが介装されてなることで、任意の時点で湯循環時とは逆方向に湯をフィルタ１３に流通することができる。これにより、フィルタ１３に詰まった汚れを排出することができるとともに、フィルタ１３での菌の増殖抑制を図ることが可能となる。
【００６５】
また、浴槽３０底部付近に設けられた噴出部Ｂｐ付近で気泡を噴出していないときに浴槽３０中の湯が流通可能な配管Ｐｂ１に、塩素系薬液等の薬剤を供給可能として、薬剤供給装置が接続されてなることにより、気泡を噴出していない配管Ｐｂ１に薬剤を供給して、その後バブラーＢによって気泡を噴出することで、配管Ｐｂ１の湯ととともに薬剤を浴槽３０内に供給して浴槽３０内の湯を消毒するための湯消毒工程をおこなうことができる。また、同様に湯消毒工程よりも長時間同濃度の薬剤を浴槽内に供給することにより、浴槽３０内部に湯消毒工程よりも高濃度の薬液を供給して、浴槽３０内部を消毒するための浴槽消毒工程をおこなうことができる。
このとき、バブラーＢを作動して浴槽内３０に気泡を噴出することによって、薬剤の供給された浴槽３０内の湯を攪拌して、浴槽３０内における薬剤濃度勾配を効率よく速やかに解消することができる。
【００６６】
さらに上記のような湯消毒工程、フィルタ消毒工程を含む浴槽消毒工程を１日一回程度設定して自動で実行することができるため、障害者等、要介護者の介護をする際における負担の軽減を図ることができる。
【００６７】
また、本実施形態の消毒システムにおいては、湯消毒工程（湯消毒機能）における前記薬剤供給量に比べて、浴槽消毒工程（浴槽消毒機能）における前記薬剤供給量が多く設定されてなることにより、同一の薬剤供給装置において供給する薬剤量を設定するだけで、湯消毒機能と浴槽消毒機能とを切り替えておこなうことができる。
本実施形態の前記制御装置７０が、前記湯消毒工程を入浴時間の直前におこなうよう設定可能とされ、浴槽消毒工程を入浴時間の後におこなうよう設定可能とされてなることにより、開閉式入浴装置１を使用している入浴時間を避けて、所定の消毒をおこなうことが可能となる。例えば、午前中と午後とに設定されている入浴時間に対して、それらの入浴時間の間である昼食時間に対応して湯消毒をおこなうことが可能である。しかも、これらを制御部によりタイマーセットすることにより、所定の時間に所定の消毒をおこなうように、自動設定することが可能である。
【００６８】
なお、本発明は、上記の実施形態に限るものではなく、本発明の趣旨を変更しない範囲で種種の変更が可能である。
【００６９】
【発明の効果】
本発明の入浴装置によれば、前記循環配管回路の前記フィルタの前段に前記薬剤を供給可能な薬剤供給位置が設定され、該薬剤供給位置に前記薬剤供給装置が接続されてなることで、循環配管回路に薬剤を供給して、タンク内の湯を循環させることにより、循環配管回路内の湯とともに薬剤をタンク内に供給して、タンク内の湯を消毒するための湯消毒工程をおこなうことができる。同時に、タンク内の湯を扉開閉式浴槽へ供給することで扉開閉式浴槽内部および／または前記配管系内の湯を消毒するための湯消毒工程をおこなうことができる。
また、同様に湯消毒工程よりも高濃度となるように薬剤をタンク内に供給することにより、タンク内部および／または前記循環装置を消毒するための浴槽（装置）消毒工程をおこなうことができる。同時に、タンク内の湯を扉開閉式浴槽へ供給することで扉開閉式浴槽内部および／または前記配管回路系を消毒するための浴槽消毒工程をおこなうことができる。ここで消毒殺菌用の薬剤としては、塩素系の消毒液等が適応される。
【００７０】
本発明の消毒システムにおいては、上記の入浴装置を消毒する消毒システムであって、前記気泡噴出装置または前記循環装置、および、前記薬剤供給装置を制御可能な制御部が、前記扉開閉式入浴装置中の湯の消毒をおこなう湯消毒機能と、前記浴槽内部，前記気泡噴出装置，前記循環装置，浴槽給排湯装置を消毒するための浴槽消毒機能と、を有し、前記湯消毒機能における前記薬剤供給量に比べて、前記浴槽消毒機能における前記薬剤供給量が多く設定されてなることにより、同一の薬剤供給装置において供給する薬剤量を設定するだけで、湯消毒機能と浴槽消毒機能とを切り替えておこなうことができる。
【図面の簡単な説明】
【図１】   本発明の扉開閉式入浴装置における実施形態を示す模式図である。
【図２】   本発明の扉開閉式入浴装置における実施形態の消毒システムの動作状態を示すタイムチャートである。
【図３】   本発明の扉開閉式入浴装置における実施形態の消毒システムの他の動作状態を示すタイムチャートである。
【符号の説明】
１…扉開閉式入浴装置
１０…循環装置
１１，１４，４１，４２，４３，５１，５２，５３，５４，５５，５６，５７，５８…配管
１２，Ｐｃ，Ｐｔ…ポンプ
１３…フィルタ
３０…浴槽
３１…扉
４０…給湯回路
５０…浴槽給排湯装置
６０…タンク
７０…制御装置
Ｂ…バブラー
Ｂｐ…噴出部
Ｃｌ…薬剤タンク
Ｃ１，Ｃ２…薬剤注入部
Ｃｂ…車椅子
Ｈ…湯供給源
Ｐｂ１，Ｐｔ１，Ｐｂ２…配管
Ｖａ，Ｖｃ，Ｖｄ，Ｖｆ，Ｖｈ，Ｖｍ，Ｖｎ，Ｖｔ…バルブ
【図１】
0004657527.tif 000002
【図２】
0004657527.tif 000003
【図３】
0004657527.tif 000004